(57)【要約】【課題】  複数の乗客コンベヤーに対して簡易に構成されたアナウンス装置によって明瞭に聴き取りできるアナウンス作用を実現する乗客コンベヤー装置を得る。【解決手段】  アナウンス指令信号２，３を音声発報部５に入力し、音声発報部５に接続した第一増幅部６を有する第一アナウンス装置４に第一スピーカ８を接続して第一乗客コンベヤーに配置する。また、音声発報部５に接続した第二増幅部１０を有する第二アナウンス装置９に第二スピーカ１２を接続して第二乗客コンベヤーに配置する。  これにより、複数の乗客コンベヤーに対し一つの音声発報部５によって、第一スピーカ８及び第二スピーカ１２を付勢する。このため、同時に動作するスピーカに対して増幅器の容量選定を要せず、実装設計、製作、装備における煩雑な手数を解消する。【選択図】        図１
2005194034.tif 000002
【特許請求の範囲】
【請求項１】
アナウンス指令信号が入力される音声発報部及びこの音声発報部に接続された第一増幅部からなり第一乗客コンベヤーに設けられた第一アナウンス装置と、この第一アナウンス装置の第一増幅部に接続された第一スピーカと、上記音声発報部に接続された第二増幅部が装備されて上記第一乗客コンベヤー近くに設置された第二乗客コンベヤーに設けられた第二アナウンス装置と、この第二アナウンス装置の第二増幅部に接続された第二スピーカとを備えた乗客コンベヤー装置。
【請求項２】
音声発報部及び第一増幅部が設けられた第一アナウンス装置のケースと、第二増幅部が設けられて上記第一アナウンス装置のケースと同一仕様に製作された第二アナウンス装置のケースとを備えたことを特徴とする請求項１記載の乗客コンベヤー装置。
【請求項３】
音声発報部を、アナウンス指令信号が入力される入力インターフェイスと、この入力インターフェイスの信号が送信されて上記アナウンス指令信号におけるフレーム信号の制御アドレス信号に基づく発報制御ＲＯＭからの制御データが入力されると共に、上記フレーム信号の音声アドレス信号に基づく音声データＲＯＭからの音声データが入力されるマイコンと、このマイコンの動作によって作動して音声信号を出力する音声合成回路とを有するものとしたことを特徴とする請求項１及び請求項２記載のいずれか一つに記載の乗客コンベヤー装置。
【発明の詳細な説明】
【技術分野】
【０００１】
この発明は、エスカレーター、移動歩道等であって利用者向けの各種注意事項が音声報知される乗客コンベヤー装置に関する。
【背景技術】
【０００２】
従来の乗客コンベヤー装置において、乗客コンベヤーの乗降時等において利用者向けの各種注意事項が音声報知される。そして、複数台の乗客コンベヤーが設置された場合に、それぞれの乗客コンベヤーに単独でアナウンス装置を設置すると、隣接の乗客コンベヤーのアナウンスを聞き取ることができる。このため、乗客コンベヤーのそれぞれに対するアナウンスに同期が取られていないときには、アナウンス内容が不明瞭になる。
【０００３】
また、乗客コンベヤーのそれぞれに対するアナウンスに同期が取られている場合には、アナウンス装置の個体差から定期的に同期を取る必要があり、アナウンス装置が複雑化する。これらの事柄からアナウンス装置を一台のみ設置して乗客コンベヤーの設置台数に対応した数のスピーカを付勢する増幅器を設置するアナウンス装置が一般的である。（アナウンス装置自体の構成として例えば、特許文献１参照）。
【０００４】
【特許文献１】特開平６−３２１４７９号公報（第２頁、図４）
【発明の開示】
【発明が解決しようとする課題】
【０００５】
従来の乗客コンベヤー装置では、同時に動作するスピーカの個数によって増幅器の容量を選定する必要があって、実装設計、またアナウンス装置の製作、装備に煩雑な手数を要するという問題点があった。
【０００６】
この発明は、かかる問題点を解消するためになされたものであり、複数の乗客コンベヤーに対して簡易に構成されたアナウンス装置によって明瞭に聞き取ることができるアナウンス作用を実現する乗客コンベヤー装置を得ることを目的とする。
【課題を解決するための手段】
【０００７】
この発明に係る乗客コンベヤー装置においては、アナウンス指令信号が入力される音声発報部及びこの音声発報部に接続された第一増幅部からなり第一乗客コンベヤーに設けられた第一アナウンス装置と、この第一アナウンス装置の第一増幅部に接続された第一スピーカと、音声発報部に接続された第二増幅部が装備されて第一乗客コンベヤー近くに設置された第二乗客コンベヤーに設けられた第二アナウンス装置と、この第二アナウンス装置の第二増幅部に接続された第二スピーカとが設けられる。
【発明の効果】
【０００８】
この発明による乗客コンベヤー装置は、複数台の乗客コンベヤーに対して一つの音声発報部からの音声信号によって、第一増幅部を介して第一スピーカが付勢され、また第二増幅部を介して第二スピーカが付勢される。これによって、同時に動作するスピーカの個数によって増幅器の容量を選定する必要がなく、実装設計、またアナウンス装置の製作、装備における煩雑な手数を解消する効果がある。
【発明を実施するための最良の形態】
【０００９】
実施の形態１．
図１及び図２は、この発明の実施の形態を示す図で、図１はアナウンス装置の全体構成を示すブロック図、図２は図１の音声発報部の機器の接続を示すブロック図である。図において、乗客コンベヤー制御装置１から第一アナウンス指令信号２又は第二アナウンス指令信号３が第一乗客コンベヤー（図示しない）に装備された第一アナウンス装置４の音声発報部５に入力される。なお、音声発報部５の詳細については後述する。また、第一アナウンス装置４には音声発報部５に接続された第一増幅部６が設けられる。
【００１０】
そして、第一増幅部６にアナウンス指令信号７を介して第一スピーカ８が接続される。また、第二乗客コンベヤー（図示しない）に装備された第二アナウンス装置９に、音声発報部５に接続された第二増幅部１０が設けられる。また、第二増幅部１０にアナウンス指令信号１１を介して第二スピーカ１２が接続される。
【００１１】
また音声発報部５は、アナウンス指令が入力される入力インターフェイス１３、入力インターフェイス１３に接続されて増幅部に接続されたマイコン１４、マイコン１４に接続された発報制御ＲＯＭ１５、マイコン１４に接続された音声データＲＯＭ１６及びマイコン１４に接続されると共に増幅部に接続された音声合成回路１７が設けられる。
【００１２】
上記のように構成された乗客コンベヤー装置において、乗客コンベヤー制御装置１から第一アナウンス指令信号２、第二アナウンス指令信号３が第一アナウンス装置４の音声発報部５の入力インターフェイス１３に入力される。これにより、マイコン１４が作動して発報制御ＲＯＭ１５と音声データＲＯＭ１６から発報するデータを抽出し、音声合成回路１７から音声信号が出力される。
【００１３】
そして、音声合成回路１７の音声信号が第一増幅部６、第二増幅部１０で増幅されて、第一増幅部６、第二増幅部１０のそれぞれに対応した第一スピーカ８、第二スピーカ１２から乗客コンベヤーの乗客にアナウンスされる。なお、アナウンス装置としては第一アナウンス装置４、第二アナウンス装置９の他、音声テープ等のメディアを使用して構成されたものであっても上述の作用を得ることができる。
【００１４】
また、第一アナウンス装置４に音声発報部５及び第一増幅部６が設けられ、また第二アナウンス装置９には第一アナウンス装置４の音声発報部５に接続された第二増幅部１０が設けられる。このため、複数台の乗客コンベヤーに対して一つの音声発報部５からの音声信号によって、第一増幅部６を介して第一スピーカ８を付勢し、また第二増幅部１０を介して第一スピーカ８を付勢することができる。
【００１５】
これによって、同時に動作するスピーカの個数によって増幅器の容量を選定する必要がなく、実装設計、またアナウンス装置の製作、装備における煩雑な手数を解消することができる。したがって、複数の乗客コンベヤーに対して容易にアナウンス装置を装備することができ製造費を低減することができる。
【００１６】
また、第二アナウンス装置９に第一アナウンス装置４の音声発報部５に接続された第二増幅部１０が設けられる。そして、第一アナウンス装置４及び第二アナウンス装置９のケースを同一仕様とすることによって、複数台の乗客コンベヤーについて第一アナウンス装置４等の取付けについて互換性が得られる。このため、複数台の乗客コンベヤーにおいて第一アナウンス装置４等に対して同じ取付構成、取付スペースとすることができ、生産性が向上し製造費を低減することができる。
【００１７】
実施の形態２．
前述の図１及び図２の実施の形態を応用し次に述べるように構成されたアナウンス装置によっても、乗客コンベヤーの乗降時等において利用者向けの各種注意事項を音声報知することができる。すなわち、複数台の乗客コンベヤーが設置されて、乗客コンベヤーの制御装置１は第一アナウンス指令信号２又は第二アナウンス指令信号３を音声発報部５に出力する。また、第一アナウンス指令信号２等は音声案内を利用者に通知するため第一アナウンス装置４等を起動させる。
【００１８】
また、第一アナウンス指令信号２等は、第一アナウンス装置４等の構成部の動作を制御するためのフレーム信号であり、このフレーム信号は乗客コンベヤーを特定する制御アドレス信号及び音声案内情報を特定するための音声アドレス信号によって構成されている。また、第一アナウンス指令信号２等は音声発報部５に設けられた入力インターフェイス１３を介してマイコン１４に送られる。
【００１９】
そしてマイコン１４は、第一アナウンス指令信号２等におけるフレーム信号の制御アドレス信号に基づいて発報制御ＲＯＭ１５から制御データを入力すると共に、前述のフレーム信号の音声アドレス信号に基づいて音声データＲＯＭ１６から音声データを入力する。この音声データは音声発報部５に設けられた音声合成回路１７に送られて、音声合成回路１７が音声信号を出力する。
【００２０】
また前述の制御データは、音声発報部５とは離れて設けられた第二増幅部１０に送られて、制御データ信号に基づいて第二増幅部１０が起動して制御データ信号に対応した音声信号を入力する。そして、前述の制御データ信号によって第二増幅部１０は音声信号の増幅率等を制御して第二スピーカ１２に出力し、第二スピーカ１２は音声信号による音声案内をアナウンスする。
【００２１】
以上説明した乗客コンベヤー装置におけるアナウンス装置の構成及び動作においても、複数台の乗客コンベヤーに対して一つの音声発報部５からの音声信号によって、第一増幅部６を介して第一スピーカ８を付勢し、また第二増幅部１０を介して第一スピーカ８を付勢することができる。したがって、詳細な説明を省略するが実施の形態２においても図１及び図２の実施の形態と同様な作用が得られる。
【図面の簡単な説明】
【００２２】
【図１】この発明の実施の形態１を示す図で、乗客コンベヤー装置に設けられたアナウンス装置の全体構成を示すブロック図。
【図２】図１の音声発報部の機器の接続を示すブロック図。
【符号の説明】
【００２３】
２  第一アナウンス指令信号（アナウンス指令信号）、３  第二アナウンス指令信号（アナウンス指令信号）、４  第一アナウンス装置、５  音声発報部、６  第一増幅部、８  第一スピーカ、９  第二アナウンス装置、１０  第二増幅部、１２  第二スピーカ、１３  入力インターフェイス、１４  マイコン、１５  発報制御ＲＯＭ、１６  音声データＲＯＭ、１７  音声合成回路。
【図１】
2005194034.tif 000003
【図２】
2005194034.tif 000004